(57)【要約】【課題】両面表示画面装置の提供。【解決手段】本発明の両面表示画面装置は、一つ或いは二つの有機発光ダイオードパネル及び一つ或いは二つの、上述の有機発光ダイオードパネルを連接する信号伝送ユニットを具え、並びにその一つの信号伝送ユニットに駆動ユニットが設けられ、駆動ユニットが駆動信号を出力する時、一つ或いは二つの有機発光ダイオードパネルにメイン表示画面エリアと信号表示画面エリアを形成させて両面表示状態を現出させる。【選択図】        図１
2004152612.tif 000002
【特許請求の範囲】
【請求項１】
両面表示画面装置において、該両面表示画面装置は単一ＯＬＥＤパネルを利用して形成され、少なくとも、
有機発光ダイオードと、
該有機発光ダイオードに連接され、駆動ユニット（４１）を具え、該駆動ユニット（４１）が駆動信号を出力する時、有機発光ダイオードにメイン表示画面エリア（６２）と信号表示画面エリア（５２）を形成させて両面表示状態を現出させる、信号伝送ユニット（４）と、
を具えたことを特徴とする、両面表示画面装置。
【請求項２】
請求項１に記載の両面表示画面装置において、信号伝送ユニット（４）がフレキシブルプリント基板或いは薄膜回路或いは配線とされるか、或いはプリント基板とされたことを特徴とする、両面表示画面装置。
【請求項３】
請求項２に記載の両面表示画面装置において、信号伝送ユニット（４）が片面或いは両面のいずれかとされたことを特徴とする、両面表示画面装置。
【請求項４】
請求項１に記載の両面表示画面装置において、有機発光ダイオードが、少なくとも、
有機発光層（１）と、
該有機発光層（１）の一面に設けられた透明カソード層（２）と、
該有機発光層（１）のもう一面に設けられ、長さが該有機発光層（１）及び該透明カソード層（２）より長く、この超過した長さにより連接領域（３１）を形成する、透明アノード層（３）と、
該透明カソード層（２）と透明アノード層（３）を封じるシールカバー（５）と蓋体（６）とされ、該シールカバー（５）と蓋体（６）の表面の適当な位置に反射膜（５１）が形成され、このシールカバー（５）、蓋体（６）の表面の反射膜（５１）で被覆されていない部分にメイン表示画面エリア（６２）と信号表示画面エリア（５２）が形成される、上記シールカバー（５）と蓋体（６）と、
を具えたことを特徴とする、両面表示画面装置。
【発明の詳細な説明】
【０００１】
【発明の属する技術分野】
本発明は一種の両面表示画面装置に係り、特に、単一の駆動モジュールを使用して駆動され、現在ある携帯電話パネルの両面表示の機能要求を達成でき、ゆえに製造工程の歩留り及び組立時間のいずれも向上でき、また、モジュール製造コストを減らすことでき、製品の競争率の優勢を高められる、両面表示画面装置に関する。
【０００２】
【従来の技術】
携帯電話使用の普及化及び通信品質の向上により、携帯電話の表示スクリーンは早期の数字表示から現段階の動態イメージファイル表示へと進歩し、またディスプレイ品質に対する要求も高まっている。携帯電話ディスプレイは使用時の携帯電話電池のパワー消耗に対する要求が重点の一つとなる。現在の携帯電話ディスプレイの多くは、元来の単一表示スクリーンから、デュアル表示スクリーンに変わり、そのうち、比較的大きなスクリーンはメインスクリーンとされ、多機能送受信表示が行える。このほか、比較的小さいスクリーンは常態信号表示スクリーンとされ、表示内容の多くは信号表示、呼び出し表示、時間表示とされる。ゆえに待機状態の時、ただ信号スクリーンのみ表示し、これによりパワー消耗を減少している。しかし、デュアルスクリーン表示は一般にデュアル駆動モジュールの独立制御を必要とし、駆動ＩＣの数量、製造コストがこれにより増加する。
【０００３】
【発明が解決しようとする課題】
本発明の主要な目的は、上述の従来の技術の欠点を解決し、欠点の存在をなくすことにあり、本発明はＯＬＥＤ自身のセルフ発光原理を利用し、ただ両面電極をいずれも透明に設計することにより、単一駆動モジュールを使用して、単一パネルに両面表示を行わせるようにする。
【０００４】
本発明のもう一つの目的は、フレキシブルプリント基板を利用して、一片の片面表示ＯＬＥＤの走査線及びデータ線を、もう一片の片面表示のＯＬＥＤに連接し、単一駆動モジュールにより両面パネルを駆動できるようにすることにある。
【０００５】
【課題を解決するための手段】
請求項１の発明は、両面表示画面装置において、該両面表示画面装置は単一ＯＬＥＤパネルを利用して形成され、少なくとも、
有機発光ダイオードと、
該有機発光ダイオードに連接され、駆動ユニット（４１）を具え、該駆動ユニット（４１）が駆動信号を出力する時、有機発光ダイオードにメイン表示画面エリア（６２）と信号表示画面エリア（５２）を形成させて両面表示状態を現出させる、信号伝送ユニット（４）と、
を具えたことを特徴とする、両面表示画面装置としている。
請求項２の発明は、請求項１に記載の両面表示画面装置において、信号伝送ユニット（４）がフレキシブルプリント基板或いは薄膜回路或いは配線とされるか、或いはプリント基板とされたことを特徴とする、両面表示画面装置としている。
請求項３の発明は、請求項２に記載の両面表示画面装置において、信号伝送ユニット（４）が片面或いは両面のいずれかとされたことを特徴とする、両面表示画面装置としている。
請求項４の発明は、請求項１に記載の両面表示画面装置において、有機発光ダイオードが、少なくとも、
有機発光層（１）と、
該有機発光層（１）の一面に設けられた透明カソード層（２）と、
該有機発光層（１）のもう一面に設けられ、長さが該有機発光層（１）及び該透明カソード層（２）より長く、この超過した長さにより連接領域（３１）を形成する、透明アノード層（３）と、
該透明カソード層（２）と透明アノード層（３）を封じるシールカバー（５）と蓋体（６）とされ、該シールカバー（５）と蓋体（６）の表面の適当な位置に反射膜（５１）が形成され、このシールカバー（５）、蓋体（６）の表面の反射膜（５１）で被覆されていない部分にメイン表示画面エリア（６２）と信号表示画面エリア（５２）が形成される、上記シールカバー（５）と蓋体（６）と、
を具えたことを特徴とする、両面表示画面装置としている。
【０００６】
【発明の実施の形態】
上述の目的を達成するため、本発明の両面表示画面装置は、一つ或いは二つの有機発光ダイオードパネル及び一つ或いは二つの、上述の有機発光ダイオードパネルを連接する信号伝送ユニットを具え、並びにその一つの信号伝送ユニットに駆動ユニットが設けられ、駆動ユニットが駆動信号を出力する時、一つ或いは二つの有機発光ダイオードパネルにメイン表示画面エリアと信号表示画面エリアを形成させて両面表示状態を現出させる。
【０００７】
【実施例】
本発明の両面表示画面装置は、有機発光ダイオードＯＬＥＤ（ＯｒｇａｎｉｃＬｉｇｈｔ  Ｅｍｉｔｔｉｎｇ  Ｄｉｏｄｅ）のセルフ発光の特性を利用し、さらに両辺を透明電極とすることにより、両面画面表示が行えるようにし、ゆえに、単一駆動モジュールにより両面表示を行う。これにより、両面表示のＯＬＥＤパネルを、片面表示のＯＬＥＤパネルと同じよう製造でき、また、単一駆動モジュールを使用することにより、製造コスト上、大幅に削減でき、またパッケージ時間も縮減できる。
【０００８】
一般にＯＬＥＤはセルフ発光ディスプレイとされ、該ＯＬＥＤのアノードは透光のＩＴＯ電極とされ、カソードは不透光の金属電極とされ、ゆえにＯＬＥＤディスプレイが発光時には、ただアノード方向に表示でき、ゆえに片面表示とされる。
【０００９】
これにより、本発明では、透光のカソードを利用し、ＯＬＥＤディスプレイを、両面が同時に表示できるようにする。或いは伝統的なＯＬＥＤ片面表示に特殊なパッケージ設計を行い、いずれも単一の駆動モジュールを使用し、駆動信号出力時に、正面（アノード）及び背面（カソード）が同時に同じ画面を表示できるようにする。背面に表示する画像及び文字は左右反対となるが、この問題はソフトウエア制御により解決できる。これにより同一片のＯＬＥＤ表示パネルにあって、二つの大きな表示区域を設計でき、一方で正面（アノード）表示を利用し、もう一方で背面（カソード）表示が行えるようにする。
【００１０】
このほか、２片の一般型ＯＬＥＤパネル（ただアノード表示のみ可能）を使用した場合も、フレキシブルプリント基板で連接し、そのうち一片のＯＬＥＤの走査線及びデータ線をもう一片のＯＬＥＤに連接することにより、単一の駆動ＩＣの駆動により両面表示パネルとすることができる。
【００１１】
図１、２は本発明の単一ＯＬＥＤパネルに両面表示を行わせるモジュール装置の正面図及び背面図及び図１の側面表示図である。図示されるように、本発明は上述の目的を達成するため、単一ＯＬＥＤパネルで両面表示画面装置を形成する。この両面表示画面装置は、少なくとも、有機発光層（１）と、該有機発光層（１）の一面に設けられた透明カソード層（２）と、該有機発光層（１）のもう一面に設けられ、長さが該有機発光層（１）及び該透明カソード層（２）より長く、この超過した長さにより信号伝送ユニット（４）と連接される連接領域（３１）を形成する、透明アノード層（３）と、を具えている。
【００１２】
また、上述の透明カソード層（２）と透明アノード層（３）上に透明なシールカバー（５）と透明ガラス或いはプラスチック基板で組成された蓋体（６）が設けられ、並びに該シールカバー（５）と蓋体（６）の表面の適当な位置に反射膜（５１）（６１）或いは光吸収層が形成され、このシールカバー（５）、蓋体（６）の表面の反射膜（５１）（６１）或いは光吸収層で被覆されていない部分にメイン表示画面エリア（６２）と信号表示画面エリア（５２）が形成される。有機発光層（１）が発光する時、光線（７）（８）は透明カソード層（２）及び透明アノード層（３）を透過して、さらにシールカバー（５）と蓋体（６）の遮蔽されていないメイン表示画面エリア（６２）及び信号表示画面エリア（５２）を透過し投射され、両面表示状態を現出する。
【００１３】
また、上述の信号伝送ユニット（４）は、片面或いは両面のフレキシブルプリント基板或いは薄膜回路或いは配線とされるか、或いは一般のプリント基板で組成され、その上に駆動ユニット（４１）を具えている。信号伝送ユニット（４）が透明アノード層（３）に連接される時、透明カソードレイアウト（１０）と透明アノードレイアウト（１０１）を利用して信号伝送ユニット（４）と連接される。駆動ユニット（４１）が駆動信号を出力する時、有機発光層（１）が発光させられ、この発光の光線（７）（８）は透明カソード層（２）と透明アノード層（３）を透過し、さらにシールカバー（５）及び蓋体（６）の遮蔽されていないメイン表示画面エリア（６２）と信号表示画面エリア（５２）を透過し投射され、両面表示状態を現出する。
【００１４】
図３、４は本発明の二つのＯＬＥＤパネルに両面表示させるモジュール装置の正面図及び背面図、及び図３の側面表示図である。図示されるように、本発明は上述のもう一つの目的を達成するため、上述の実施例で使用した透明カソード層（２）を金属アノード層（２’）に改変し、これにより二つのＯＬＥＤパネルを利用して両面表示画面装置を形成する。そのうち、一つのＯＬＥＤパネル（２０）は信号表示画面エリアとされ、もう一つのＯＬＥＤパネル（３０）はメイン表示画面エリアとされ、両者間が信号伝送ユニット（４’）により連接されている。もう一つの信号伝送ユニット（４）上の駆動ユニット（４１）が駆動信号を出力する時、二つのＯＬＥＤパネル（２０）（３０）が両面表示画面の状態を発生する。
【００１５】
図５は本発明の別の二つのＯＬＥＤパネルに両面表示させるモジュール装置の側面図である。図示されるように、この実施例と図３、４の実施例はほとんど同じであるが、異なる所は、信号伝送ユニット（４’）が折り曲げられ、二つのＯＬＥＤパネル（２０）（３０）が前後の関係を形成し、もう一つの信号伝送ユニット（４）の駆動ユニット（４１）が駆動信号を発生する時、二つのＯＬＥＤパネル（２０）（３０）が一方が前で、もう一方が後ろの両面表示画面状態を発生する。
【００１６】
さらに、駆動ＩＣがＯＬＥＤモジュールの全体コスト上２０％〜３０％の比率を占め、ゆえに本発明は駆動ＩＣの数量を減少でき、ゆえに製造コストを減らすことができ、製造工程上、多くのプロセスを減少できる。また、本発明は使用者が応用する上で、そのパッケージ設計が伝統的なデュアルモジュールより簡易化されている。
【００１７】
【発明の効果】
本発明は一種の両面表示画面装置を提供し、それは、特に、単一の駆動モジュールを使用して駆動され、現在ある携帯電話パネルの両面表示の機能要求を達成でき、ゆえに製造工程の歩留り及び組立時間のいずれも向上でき、また、モジュール製造コストを減らすことでき、製品の競争率の優勢を高められる。
【図面の簡単な説明】
【図１】本発明の単一ＯＬＥＤパネルに両面表示を行わせるモジュール装置の正面図及び背面図である。
【図２】図１の側面図である。
【図３】本発明の二つのＯＬＥＤパネルに両面表示を行わせるモジュール装置の正面図及び背面図である。
【図４】図３の側面図である。
【図５】本発明の二つのＯＬＥＤパネルに両面表示を行わせるモジュール装置の側面図である。
【符号の説明】
（１）有機発光層
（２）透明カソード層
（３）透明アノード層
（３１）連接領域
（４）信号伝送ユニット
（５）シールカバー
（６）蓋体
（５１）（６１）反射膜
（６２）メイン表示画面エリア
（５２）信号表示画面エリア
（４１）駆動ユニット
（１０）透明カソードレイアウト
（１０１）透明アノードレイアウト
（７）（８）光線
（２’）金属アノード層
（２０）ＯＬＥＤパネル
（３０）ＯＬＥＤパネル
（４’）信号伝送ユニット
【図１】
2004152612.tif 000003
【図２】
2004152612.tif 000004
【図３】
2004152612.tif 000005
【図４】
2004152612.tif 000006
【図５】
2004152612.tif 000007